(57)【要約】【課題】  陰圧検出のための段差をなくして残血を抑制するとともに、透析治療時等の作業性を維持することができる血液回路を提供する。【解決手段】  血液浄化器７と、先端の穿刺針から採取された血液を血液浄化器７に流動させる動脈側血液回路Ｌ１と、当該血液浄化器７からの血液を先端の穿刺針に流動させ、患者の体内に戻すための静脈側血液回路Ｌ２と、動脈側血液回路Ｌ１に液体を導入する液体導入ラインＬ３とを有する血液回路において、液体導入ラインＬ３の一部が動脈側血液回路Ｌ１と並行して配設され、当該並行した部位における液体導入ラインＬ３と動脈側血液回路Ｌ１とを一体化するとともに、一体化した部位における動脈側血液回路Ｌ１を構成する部位が液体導入ラインＬ３を構成する部位よりも柔らかく形成し、当該動脈側血液回路内の陰圧で径方向に撓み得るようにしたものである。【選択図】図１
2006340845.tif 000002
【特許請求の範囲】
【請求項１】
血液浄化器に接続され、先端の穿刺針から採取された血液を当該血液浄化器に流動させる動脈側血液回路と、
血液浄化器に接続され、当該血液浄化器からの血液を先端の穿刺針に流動させ、患者の体内に戻すための静脈側血液回路と、
前記動脈側血液回路又は静脈側血液回路に液体を導入する液体導入ラインと、
を有する血液回路において、
前記液体導入ラインの少なくとも一部が前記動脈側血液回路又は静脈側血液回路と並行して配設され、当該並行した部位における前記液体導入ラインと動脈側血液回路又は静脈側血液回路とを一体化するとともに、一体化した部位における動脈側血液回路又は静脈側血液回路を構成する部位が前記液体導入ラインを構成する部位よりも柔らかく形成し、当該動脈側血液回路又は静脈側血液回路内の陰圧で径方向に撓み得るようにしたことを特徴とする血液回路。
【請求項２】
前記液体導入ラインは、一部が前記動脈側血液回路又は静脈側血液回路と並行して配設されるとともに、先端が前記穿刺針近傍まで延びて当該動脈側血液回路又は静脈側血液回路と接続され、生理食塩水を当該穿刺針近傍から導入し得る生食ラインから成ることを特徴とする請求項１記載の血液回路。
【請求項３】
前記一体化した部位は、軸方向に延びた２つの流通孔を有した１本の可撓性チューブから成り、これら流通孔を当該可撓性チューブの軸心からずれた位置に形成するとともに一方の流通孔を前記動脈側血液回路又は静脈側血液回路の一部とし、他方の流通孔を前記液体導入ラインの一部としたことを特徴とする請求項１又は請求項２記載の血液回路。
【請求項４】
前記可撓性チューブにおける一方の流通孔は、断面形状が楕円とされたことを特徴とする請求項３記載の血液回路。
【請求項５】
前記一体化した部位は、軸方向に延びた流通孔が各々形成された２本の可撓性チューブを接合して成り、一方の流通孔を前記動脈側血液回路又は静脈側血液回路の一部とし、他方の流通孔を前記液体導入ラインの一部としたことを特徴とする請求項１又は請求項２記載の血液回路。
【発明の詳細な説明】
【技術分野】
【０００１】
本発明は、患者の血液を採取し、体外循環させる過程においてダイアライザ等の血液浄化器で浄化した後、浄化後の血液を再び患者に戻すための血液回路に関し、特に、生理食塩水等の液体を血液の流路内に導入する液体導入ラインを具備した血液回路に関する。
【背景技術】
【０００２】
透析治療時に用いられる一般的な血液回路は、図９に示すように、一端に動脈側穿刺針１０１が取り付けられる動脈側血液回路Ｌ１と、一端に静脈側穿刺針１０２が取り付けられる静脈側血液回路Ｌ２とから主に構成されており、これら動脈側血液回路Ｌ１及び静脈側血液回路Ｌ２の各他端に血液浄化器としてのダイアライザ１０４を接続し得るよう構成されている。
【０００３】
動脈側血液回路Ｌ１には、しごき型の血液ポンプ１０３が配設されており、動脈側穿刺針１０１及び静脈側穿刺針１０２を共に患者に穿刺した状態で当該血液ポンプ１０３を駆動させることにより、動脈側穿刺針１０１から血液を採取するとともに、その血液を動脈側血液回路Ｌ１内で流動させてダイアライザ１０４まで導き、該ダイアライザ１０４による浄化後の血液を静脈側血液回路Ｌ２内で流動させ、静脈側穿刺針１０２を介して患者の体内に戻して透析治療が行われる。
【０００４】
尚、動脈側血液回路Ｌ１及び静脈側血液回路Ｌ２のそれぞれには、動脈側ドリップチャンバ１０６及び静脈側ドリップチャンバ１０７が接続されているとともに、動脈側血液回路Ｌ１における血液ポンプ１０３よりも上流側には、陰圧を検出するための陰圧検出部材１０５が接続されている。かかる陰圧検出部材１０５は、図１０に示すように、内部に所定容量の空間１０５ａを有した可撓性中空状部材から成り、動脈側血液回路Ｌ１内を流れる血液が陰圧となると表面部と裏面部とが近接する方向に撓むよう構成されるとともに、例えば当該表面部と裏面部とに陰圧検出器の測定子を当接させておくことにより当該陰圧を検出することができる。
【０００５】
更に、血液回路に生理食塩水を導入してプライミング、補液又は血液回収を行うべく、図９に示すように、生理食塩水が充填された容器Ｃから延びる生食ライン（流体導入ライン）Ｌ３が形成されている。該生食ラインＬ３は、従来、容器Ｃから動脈側血液回路Ｌ１に近接する方向に延びつつＴ字管１０８を介して当該動脈側血液回路Ｌ１と並行して配設され、先端がＹ字管１０９を介して動脈側穿刺針１０１近傍に接続されていた。
【０００６】
これにより、生食ラインＬ３を介して容器Ｃ内の生理食塩水を動脈側血液回路Ｌ１における動脈側穿刺針１０１近傍まで導き、その生理食塩水を動脈側血液回路Ｌ１、ダイアライザ１０４及び静脈側血液回路Ｌ２における血液の流路内に流すことができ、当該生理食塩水によるプライミング、補液又は血液回収が行われる。勿論、通常の透析治療時には、図示しないクランプ装置等で生食ラインＬ３の流路は遮断されている。尚、かかる先行技術は、文献公知発明に係るものでないため、記載すべき先行技術文献情報はない。
【発明の開示】
【発明が解決しようとする課題】
【０００７】
しかしながら、上記従来の血液回路においては、以下の如き問題があった。即ち、動脈側血液回路Ｌ１に接続された陰圧検出部材１０５は、血液が導入される空間１０５ａを有するため、その隅部（図１０における斜線を施した部分）に血液が滞留し易くなっており、生食ラインＬ３から生理食塩水を供給して血液回収を行っても当該隅部に血液が付着したままとなって残血を生じてしまう虞があった。
【０００８】
本出願人は、上記不具合を解消すべく改良のための検討を行った結果、動脈側血液回路Ｌ１を構成する可撓性チューブの肉厚を薄くすることにより柔らかくし、内部を流れる血液が陰圧になると径方向に撓むようにすることを考えた。これにより、上記空間１０５ａの隅部の如き血液の流路の段差をなくすことができ、血液の滞留を抑制することができるとともに、径方向への撓みを検出することにより陰圧を検出することができる。
【０００９】
しかし、上記の如く動脈側血液回路Ｌ１を構成する可撓性チューブが柔らかいと、当然折れ曲がりやすくなってしまい、折れ曲がりにより流路が閉塞されてしまう虞があるといった新たな問題が生じることが予想される。従って、不用意に流路が閉塞してしまわないよう、血液回路の扱いを極めて慎重に行わざるを得なくなり、透析治療或いはプライミング等の作業性が悪化してしまう可能性があった。
【００１０】
本発明は、このような事情に鑑みてなされたもので、陰圧検出のための段差をなくして残血を抑制するとともに、透析治療時等の作業性を維持することができる血液回路を提供することにある。
【課題を解決するための手段】
【００１１】
請求項１記載の発明は、血液浄化器に接続され、先端の穿刺針から採取された血液を当該血液浄化器に流動させる動脈側血液回路と、血液浄化器に接続され、当該血液浄化器からの血液を先端の穿刺針に流動させ、患者の体内に戻すための静脈側血液回路と、前記動脈側血液回路又は静脈側血液回路に液体を導入する液体導入ラインとを有する血液回路において、前記液体導入ラインの少なくとも一部が前記動脈側血液回路又は静脈側血液回路と並行して配設され、当該並行した部位における前記液体導入ラインと動脈側血液回路又は静脈側血液回路とを一体化するとともに、一体化した部位における動脈側血液回路又は静脈側血液回路を構成する部位が前記液体導入ラインを構成する部位よりも柔らかく形成し、当該動脈側血液回路又は静脈側血液回路内の陰圧で径方向に撓み得るようにしたことを特徴とする。
【００１２】
請求項２記載の発明は、請求項１記載の血液回路において、前記液体導入ラインが、一部が前記動脈側血液回路又は静脈側血液回路と並行して配設されるとともに、先端が前記穿刺針近傍まで延びて当該動脈側血液回路又は静脈側血液回路と接続され、生理食塩水を当該穿刺針近傍から導入し得る生食ラインから成ることを特徴とする。
【００１３】
請求項３記載の発明は、請求項１又は請求項２記載の血液回路において、前記一体化した部位は、軸方向に延びた２つの流通孔を有した１本の可撓性チューブから成り、これら流通孔を当該可撓性チューブの軸心からずれた位置に形成するとともに一方の流通孔を前記動脈側血液回路又は静脈側血液回路の一部とし、他方の流通孔を前記液体導入ラインの一部としたことを特徴とする。
【００１４】
請求項４記載の発明は、請求項３記載の血液回路において、前記可撓性チューブにおける一方の流通孔は、断面形状が楕円とされたことを特徴とする。
【００１５】
請求項５記載の発明は、請求項１又は請求項２記載の血液回路において、前記一体化した部位が、軸方向に延びた流通孔が各々形成された２本の可撓性チューブを接合して成り、一方の流通孔を前記動脈側血液回路又は静脈側血液回路の一部とし、他方の流通孔を前記液体導入ラインの一部としたことを特徴とする。
【発明の効果】
【００１６】
請求項１の発明によれば、液体導入ラインと動脈側血液回路又は静脈側血液回路とが並行に延びる部位を一体化するとともに、一体化した部位における動脈側血液回路又は静脈側血液回路を構成する部位が前記液体導入ラインを構成する部位よりも肉厚を薄くすることにより柔らかく形成し、当該動脈側血液回路又は静脈側血液回路内の陰圧で径方向に撓み得るようにしたので、陰圧検出のための段差をなくして残血を抑制するとともに、折れ曲がりにくくして透析治療時等の作業性を維持することができる。
【００１７】
請求項２の発明によれば、液体導入ラインが生食ラインから構成されているため、従来より動脈側血液回路又は静脈側血液回路と並行して配設された生食ラインをそのまま補強用の部材として用いることができ、請求項１の発明の効果をより十分に発揮することができる。
【００１８】
請求項３の発明によれば、一体化した部位が軸方向に延びた２つの流通孔を有した１本の可撓性チューブで構成されているので、動脈側血液回路又は静脈側血液回路と液体導入ラインとが並行した部位を一体成形することができ、製造コストを低減させることができる。
【００１９】
請求項４の発明によれば、可撓性チューブにおける一方の流通孔が、断面形状を楕円とされているので、陰圧を検出する部位である薄肉部の面積を大きくすることができ、より陰圧を検出し易くすることができる。
【００２０】
請求項５の発明によれば、一体化した部位が軸方向に延びた流通孔を各々形成有した２本の可撓性チューブを接合して成るものから成るので、既存の可撓性チューブ（肉厚の選択は必要だが）を用いて請求項１の発明の効果を奏することができる。
【発明を実施するための最良の形態】
【００２１】
以下、本発明の実施形態について図面を参照しながら具体的に説明する。
本発明の実施形態に係る血液回路は、透析治療時に患者の血液を体外循環させるための可撓性チューブから成るもので、図１に示すように、血液浄化器としてのダイアライザ７に接続された動脈側血液回路Ｌ１と、静脈側血液回路Ｌ２とから主に構成されている。尚、動脈側血液回路Ｌ１及び静脈側血液回路Ｌ２を構成するいずれのチューブも、軟質の塩ビから成る可撓性チューブとされている。
【００２２】
動脈側血液回路Ｌ１は、一体型可撓性チューブ３、可撓性チューブａ〜ｃ、ｇ、及び大径可撓性チューブ４ａから成り、ダイアライザ７より上流側のラインで構成され、その先端がコネクタ１ａを介して動脈側穿刺針１に接続されている。一体型可撓性チューブ３の両端は、第１接続管８及び第２接続管９を介して可撓性チューブａ及びｇと接続されており、可撓性チューブｂとｃとの間にはドリップチャンバ（動脈側ドリップチャンバ）５が接続されている。
【００２３】
大径可撓性チューブ４ａには、しごき型ポンプから成る血液ポンプ４が配設され、動脈側穿刺針１で採取した患者の血液をダイアライザ７側に送液し得るよう構成されている。また、第１接続管８には、生理食塩水が充填された容器Ｃから延びる液体導入ラインとしての生食ラインＬ３の一部を構成する可撓性チューブｆが接続されており、当該生理食塩水を動脈側血液回路Ｌ１内に導入し得るよう構成されている。
【００２４】
上記動脈側血液回路Ｌ１の下流端に位置する可撓性チューブｃは、ダイアライザ７における血液導入ポート７ａに接続されている。ダイアライザ７に導入された血液は、内部の中空糸膜内（血液流路）を通過して血液排出ポート７ｂから排出される一方、透析液導入ポート７ｃから導入された透析液が当該中空糸膜外（透析液流路）を通過して透析液排出ポート７ｄから排出されるよう構成されている。
【００２５】
これにより、血液流路を通過する血液中の老廃物等を透析液側に透過させ、清浄化することができ、その清浄な血液を静脈側血液回路Ｌ２を介して患者の体内に戻すことができる。かかる静脈側血液回路Ｌ２は、可撓性チューブｄ、ｅから成り、ダイアライザ７より下流側のラインで構成され、その先端がコネクタ２ａを介して静脈側穿刺針２に接続されている。可撓性チューブｄとｅとの間にはドリップチャンバ（静脈側ドリップチャンバ）６が接続されている。
【００２６】
以上が本実施形態に適用される血液回路の全体構成であるが、ここで、動脈側血液回路Ｌ１における一体型可撓性チューブ３は、図２に示すように、軸方向に延びた２つの流通孔３ａ、３ｂを有した１本の可撓性チューブから成り、これら流通孔３ａ、３ｂを当該可撓性チューブの軸心Ｃｒからずれた位置に形成（即ち、流通孔３ａ、３ｂを各々偏心した孔としている）するとともに、一方の流通孔３ａを動脈側血液回路Ｌ１の一部とし、他方の流通孔３ｂを生食ラインＬ３の一部としている。
【００２７】
即ち、一方の流通孔３ａは、可撓性チューブｇ及びａと接続されて動脈側穿刺針１からの患者の血液を流動させるとともに、他方の流通孔３ｂは、可撓性チューブｆと接続されて容器Ｃから導かれた生理食塩水を流動させるよう構成されている。具体的には、第１接続管８は、図４で示すように、一体型可撓性チューブ３の端部を接続する接続孔８ａ、可撓性チューブａの端部を接続する接続孔８ｂ、及び可撓性チューブｆの端部を接続する接続孔８ｃを有している。
【００２８】
このうち接続孔８ａは、一方の流通孔３ａから可撓性チューブａまで延びる流通路８ａｂと、他方の流通孔３ｂから可撓性チューブｆまで延びる流通路８ａｆとに連通されており、一方の流通孔３ａ、流通路８ａｂが動脈側血液回路Ｌ１の一部を構成するとともに、可撓性チューブｆ、流通路８ａｆ、及び他方の流通孔３ｂが生食ラインＬ３を構成している。
【００２９】
また、第２接続管９は、図５に示すように、可撓性チューブｇの端部を接続する接続孔９ａ、一体型可撓性チューブ３の端部を接続する接続孔９ｂを有しており、このうち接続孔９ａは、一方の流通孔３ａまで延びる流通路９ａａに連通されるとともに、該流通路９ａａの途中から他方の流通孔３ｂまで延びる流通路９ａｂが形成されている。
【００３０】
これにより、動脈側穿刺針１から採取された患者の血液は、可撓性チューブｇ、流通路９ａａ、及び一体型可撓性チューブ３の一方の流通孔３ａへと流れ、他方の流通孔３ｂを流れた生理食塩水は、流通路９ａｂを通って流通路９ａａに至り、一体型可撓性チューブ３の他方の流通孔３ａへと流れることとなる。従って、生理食塩水を動脈側血液回路Ｌ１に導入することができるのである。
【００３１】
ここで、図２に示すように、一方の流通孔３ａを構成する肉厚の一部ｔ１が、他方の流通孔３ｂを構成する肉厚の一部ｔ２よりも薄くなるよう設計されており、当該肉厚ｔ１の部位が柔らかくなっている。これにより、流通孔３ａ内が陰圧となった場合、図３に示すように、径方向に撓んで陰圧が認識できるようになっている。
【００３２】
即ち、流通孔３ａは、動脈側血液回路Ｌ１の一部を成すとともに、陰圧を検出し得る陰圧検出機能も備えているのである。従って、従来の如き別途の陰圧検出部材を必要とせず、その分血液の流路における段差をなくすことができるため、透析治療時における血液の滞留を抑制でき、血液回収後の残血を防止することができる。尚、肉厚がｔ１の部位における硬さの範囲は、ＨＤＡ５５〜９５が好ましい。
【００３３】
更に、図２に示すように、一方の流通孔３ａの断面形状が楕円とされており、陰圧を検出する部位である薄肉部（同図範囲Ｈの部分）の面積を大きくすることができ、より陰圧を検出し易くすることができる。尚、本実施形態においては、他方の流通孔３ｂも断面形状が楕円とされているが、これを断面円形や矩形としてもよい。
【００３４】
上記構成の血液回路にて透析治療を行うには、可撓性チューブｆの一部をクランプ装置等で挟持することにより、生理食塩水の流路を閉塞した状態にて行われ、例えば透析治療前のプライミング、透析治療時の補液、又は透析治療後の血液回収時においてのみ可撓性チューブｆの流路を開放する。該可撓性チューブｆの流路が開放されると、容器Ｃ内に充填された生理食塩水は、当該可撓性チューブｆ内を流れた後、第１接続管８の流通路８ａｃを介して他方の流通孔３ｂに至る。
【００３５】
そして、当該他方の流通孔３ｂを流れた生理食塩水は、第２接続管９の流通路９ａｂから流通路９ａａに至り、動脈側血液回路Ｌ１に導入されることとなる。動脈側血液回路Ｌ１に導入された生理食塩水は、例えばプライミング又は血液回収時には、ダイアライザ７を介して静脈側血液回路Ｌ２に至り、静脈側穿刺針２から排出される一方、補液時には、血液と一緒に患者の体内に供給される。
【００３６】
本実施形態によれば、一体型可撓性チューブが動脈側血液回路Ｌ１の一部として血液を流動する機能と、陰圧時に撓んで当該陰圧を検出する機能（従来の陰圧検出部材が有していた機能）とを兼ね備えることができるとともに、全体が薄肉に形成したものに比べ、折れ曲がり難くなっており、折れ曲がって不用意に流路が閉塞してしまうのを回避できるので、透析治療時等の作業性を維持することができる。即ち、本実施形態によれば、動脈側血液回路Ｌ１の一部により陰圧検出できるので、残血が生じ易いとされた従来の如き別個の陰圧検出部材を廃止できるのである。しかして、別個の陰圧検出部材を廃止できることにより、血液回路の構成を簡素化することができる。
【００３７】
また、一体型可撓性チューブ３が２つの流通孔３ａ、３ｂを有した１本の可撓性チューブ３で構成されているので、一体成形にて製造することができ、別々に製造したチューブのものに比べ、製造コストを低減させることができる。例えば、別々に製造したチューブを紐等で接合した場合は、紐等の配設部位が圧せられ、血液の流動を妨げる虞があり、別々に製造したチューブを接着剤等にて接着した場合は、当該接着工程が必要とされ、製造コストが嵩んでしまう虞があるのに対し、本実施形態によれば血液の流動性を維持しつつ製造コストを抑えることができる。尚、一体型可撓性チューブ３の端部が接続されるべき第１接続管８又は第２接続管９を他の形態のものとしてもよい。
【００３８】
次に、本発明の他の実施形態に係る血液回路について説明する。
本実施形態に係る血液回路は、図６に示すように、動脈側血液回路Ｌ１及び静脈側血液回路Ｌ２から主に構成されており、これら回路Ｌ１及びＬ２の途中において、血液ポンプ４、ドリップチャンバ（動脈側ドリップチャンバ５及び静脈側ドリップチャンバ６）及びダイアライザ７等が接続されている。尚、先の実施形態と同様の構成要素については、同一の符号を付し、詳細な説明を省略する。
【００３９】
本実施形態においては、コネクタ１ａと接続された可撓性チューブｇは、Ｙ字管１３と接続されており、該Ｙ字管１３から第１可撓性チューブ１１及び第２可撓性チューブ１２が並行して延設されている。このうち第１可撓性チューブ１１は、図８に示すようなＴ字管１０に接続されており、容器Ｃから延設された可撓性チューブｆと接続されている。
【００４０】
かかるＴ字管１０は、同図に示すように、可撓性チューブ１１の端部を接続する接続孔１０ａ、可撓性チューブｆの端部を接続する接続孔１０ｂを有し、これら接続孔１０ａ及び１０ｂと通じた接続孔１０ｃが閉塞部材Ｋにて閉塞されて構成されている。また、Ｔ字管１０内には、接続孔１０ａと１０ｂとを連通する流通路１０ａｂが形成されており、該連通路１０ａｂ、可撓性チューブｆ、及び第１可撓性チューブ１１が液体導入ラインとしての生食ラインＬ３を構成している。
【００４１】
第１可撓性チューブ１１及び第２可撓性チューブ１２内には、図７に示すように、軸方向に延びた一方の流通孔１１ａ及び他方の１２ａが各々形成されており、それぞれが生食ラインＬ３の一部、動脈側血液回路Ｌ１の一部を構成している。これら第１可撓性チューブ１１と第２可撓性チューブ１２とは、同図に示すように、密着した状態にて接着剤にて接合されて一体化している。尚、このように２本の可撓性チューブを接着剤で接合するものの他、熱溶着等で接合してもよい。
【００４２】
更に、一方の流通孔１２ａが形成された第２可撓性チューブ１２の肉厚ｗ１を他方の流通孔１１ａが形成された第１可撓性チューブ１１の肉厚ｗ２よりも薄くし、当該第２可撓性チューブ１２を柔らかく形成している。これにより、第２可撓性チューブ１２内で陰圧が生じると、径方向に撓むので当該陰圧を検出することができるとともに、肉厚が厚い第１可撓性チューブ１１と接合されているので、折れ曲がり難く、血液の流路の不用意な閉塞を回避することができる。尚、肉厚がｗ１の部位における硬さの範囲は、先の実施形態と同様、ＨＤＡ５５〜９５が好ましい。
【００４３】
また、このような１本の流通孔１１ａ又は１２ａを有する可撓性チューブは、従来より広く用いられており、その肉厚も様々用意されているので、所望の肉厚の可撓性チューブを２本選択し、これらを接合させて動脈側血液回路Ｌ１の一部及び生食ラインＬ３の一部とすることができる。従って、既存の可撓性チューブ（肉厚の選択は必要だが）を用いて本実施形態の血液回路を構成することができる。
【００４４】
上記構成の血液回路にて透析治療を行うには、可撓性チューブｆ或いは第１可撓性チューブ１１の一部をクランプ装置等で挟持することにより、生理食塩水の流路を閉塞した状態にて行われ、例えば透析治療前のプライミング、透析治療時の補液、又は透析治療後の血液回収時においてのみ当該流路を開放する。流路が開放されると、容器Ｃ内に充填された生理食塩水は、可撓性チューブｆ内を流れた後、Ｔ字管１０の流通路１０ａｂを介して第１可撓性チューブ１１内を流れ、Ｙ字管１３に至る。
【００４５】
そして、当該Ｙ字管１０に至った生理食塩水は、そこから第２可撓性チューブ１２に流れるので、動脈側血液回路Ｌ１に導入されることとなる。動脈側血液回路Ｌ１に導入された生理食塩水は、例えばプライミング又は血液回収時には、ダイアライザ７を介して静脈側血液回路Ｌ２に至り、静脈側穿刺針２から排出される一方、補液時には、血液と一緒に患者の体内に供給される。
【００４６】
尚、本実施形態においては、Ｙ字管１３からＴ字管１０が配設された位置まで第１可撓性チューブ１１が１本、Ｙ字管１３から大径可撓性チューブ４ａまで第２可撓性チューブ１２が１本それぞれ配設されているが、例えば途中においてゴムボタンを複数接続させるようにすれば、隣り合うゴムボタン間のみにおいて第２可撓性チューブ１２を接続し、その部分のみで陰圧を検出するようにしてもよい。
【００４７】
以上、２つの実施形態について説明したが、本発明はこれらに限定されず、例えば生食ラインＬ３の代わりに、薬液等を血液回路内に導入する他の液体導入ラインとしてもよい。この場合であっても、液体導入ラインと動脈側血液回路とが並行して配設された部位において、当該動脈側血液回路側の肉厚を小さくすることにより柔らかくし、内部の陰圧を検出し得る構成とする必要がある。
【００４８】
また、本実施形態においては、液体導入ライン（生食ラインＬ３）が動脈側血液回路Ｌ１に接続されているが、これに代えて或いはこれと共に、静脈側血液回路Ｌ２に接続したものに適用してもよい。更に、上記血液回路に他の種々構成要素（例えば、気泡検出器等）を接続するようにしてもよく、反対に、所定の構成要素（例えば、動脈側のドリップチャンバ等）を省略してもよい。
【００４９】
また更に、本実施形態においては、動脈側穿刺針１及び静脈側穿刺針２の２本の穿刺針を有したダブルニードル型のものを挙げているが、１本の穿刺針を有したシングルニードル型のものに適用するようにしてもよい。
【産業上の利用可能性】
【００５０】
液体導入ラインの少なくとも一部が動脈側血液回路又は静脈側血液回路と並行して配設され、当該並行した部位における液体導入ラインと動脈側血液回路又は静脈側血液回路とを一体化するとともに、一体化した部位における動脈側血液回路又は静脈側血液回路を構成する部位が液体導入ラインを構成する部位よりも柔らかく形成し、当該動脈側血液回路又は静脈側血液回路内の陰圧で径方向に撓み得るようにした血液回路であれば、外観形状が異なるもの或いは他の機能が付加されたものにも適用することができる。
【図面の簡単な説明】
【００５１】
【図１】本発明の実施形態に係る血液回路を示す全体模式図
【図２】図１におけるＩＩ−ＩＩ線断面図（陰圧が生じていない状態）
【図３】本発明の実施形態に係る血液回路における流通孔３ａ内に陰圧が生じた状態を示す断面模式図
【図４】本発明の実施形態に係る血液回路における第１接続管を示す断面模式図
【図５】本発明の実施形態に係る血液回路における第２接続管を示す断面模式図
【図６】本発明の他の実施形態に係る血液回路を示す全体模式図
【図７】図６におけるＶＩＩ−ＶＩＩ線断面図
【図８】本発明の他の実施形態に係る血液回路におけるＴ字管を示す断面模式図
【図９】従来の血液回路を示す全体模式図
【図１０】従来の血液回路に配設された陰圧検出部材を示す正面図
【符号の説明】
【００５２】
１…動脈側穿刺針
１ａ、２ａ…コネクタ
２…静脈側穿刺針
３…一体型可撓性チューブ
４…血液ポンプ
４ａ…大径可撓性チューブ
５、６…ドリップチャンバ
７…ダイアライザ（血液浄化器）
８…第１接続管
９…第２接続管
１０…Ｔ字管
１１…第１可撓性チューブ
１２…第２可撓性チューブ
１３…Ｙ字管
Ｌ１…動脈側血液回路
Ｌ２…静脈側血液回路
Ｌ３…生食ライン（液体導入ライン）
【図１】
2006340845.tif 000003
【図２】
2006340845.tif 000004
【図３】
2006340845.tif 000005
【図４】
2006340845.tif 000006
【図５】
2006340845.tif 000007
【図６】
2006340845.tif 000008
【図７】
2006340845.tif 000009
【図８】
2006340845.tif 000010
【図９】
2006340845.tif 000011
【図１０】
2006340845.tif 000012